(57)【要約】【課題】  調理する食材に合わせて飽和水蒸気と過熱水蒸気を交互に供給して、不要な油分や塩分を多く取り除く加熱調理器を提供する。【解決手段】  加熱調理器において、制御手段７２は、被加熱物５１を加熱する複数の工程の中で水蒸気発生手段４３を動作して加熱する工程の加熱時間を全工程の合計時間の７５〜９０％の時間とし、水蒸気発生手段４３を動作して加熱する工程では、温度検出手段８５からの温度情報を基に熱風ヒータ１４への電力の供給をＯＮとＯＦＦとで制御し、熱風ヒータ１４のＯＮの時間、水蒸気発生手段４３から噴出する飽和水蒸気を熱風ヒータ１４で加熱して加熱室２８に過熱水蒸気を供給し、熱風ヒータ１４のＯＦＦの時間、水蒸気発生手段４３から加熱室２８に飽和水蒸気を供給して被加熱物５１である肉類を加熱する。【選択図】図１０
2009250493.tif 000002
【特許請求の範囲】
【請求項１】
被調理物を収納する加熱室と、
該加熱室の後部に設けられ、該加熱室との間で空気を循環する熱風ファンと、循環する空気を加熱する熱風ヒータとを備えた熱風ユニットと、
前記熱風ユニット内に飽和水蒸気を噴出する水蒸気発生手段と、
前記加熱室の温度を検出する温度検出手段と、
該温度検出手段からの温度情報に基づいて前記水蒸気発生手段と前記熱風ヒータとを制御する制御手段と、を有した加熱調理器において、
前記制御手段は、前記被加熱物を加熱する複数の工程の中で前記水蒸気発生手段を動作して加熱する工程の加熱時間を全工程の合計時間の７５〜９０％の時間となるように制御し、
前記水蒸気発生手段を動作して加熱する工程では、
前記温度検出手段からの温度情報を基に前記熱風ヒータへの電力の供給をＯＮとＯＦＦとで制御し、
前記熱風ヒータのＯＮの時間，前記水蒸気発生手段から噴出する飽和水蒸気を前記熱風ヒータで加熱して前記加熱室に過熱水蒸気を供給し、
前記熱風ヒータのＯＦＦの時間，前記水蒸気発生手段から前記加熱室に飽和水蒸気を供給して被加熱物である肉類を加熱することを特徴とする加熱調理器。
【請求項２】
被調理物を収納する加熱室と、
該加熱室の後部に設けられ、該加熱室との間で空気を循環する熱風ファンと、循環する空気を加熱する熱風ヒータとを備えた熱風ユニットと、
前記熱風ユニット内に飽和水蒸気を噴出する水蒸気発生手段と、
前記加熱室の温度を検出する温度検出手段と、
該温度検出手段からの温度情報に基づいて前記水蒸気発生手段と前記熱風ヒータとを制御する制御手段と、を有した加熱調理器において、
前記制御手段は、前記被加熱物を加熱する複数の工程の中で前記水蒸気発生手段を動作して加熱する工程の加熱時間を全工程の合計時間の５２〜６４％の時間となるように制御し、
前記水蒸気発生手段を動作して加熱する工程では、
前記温度検出手段からの温度情報を基に前記熱風ヒータへの電力の供給をＯＮとＯＦＦとで制御し、
前記熱風ヒータのＯＮの時間、前記水蒸気発生手段から噴出する飽和水蒸気を前記熱風ヒータで加熱して前記加熱室に過熱水蒸気を供給し、
前記熱風ヒータのＯＦＦの時間、前記水蒸気発生手段から前記加熱室に飽和水蒸気を供給して被加熱物である魚類を加熱することを特徴とする加熱調理器。
【発明の詳細な説明】
【技術分野】
【０００１】
本発明は、水蒸気を加熱室の被調理物に供給して調理するオーブンレンジ等の加熱調理器に関するものである。
【背景技術】
【０００２】
水蒸気を調理に使用する方法として、水を沸騰させて飽和水蒸気を生成し、該飽和水蒸気を１００℃以上に加熱して過熱水蒸気を生成し、該過熱水蒸気で食品を加熱する方法が特許文献１に記載されている。
【０００３】
【特許文献１】特開２００６−３１７０１６号公報
【発明の開示】
【発明が解決しようとする課題】
【０００４】
飽和水蒸気を調理に使用すると、該飽和水蒸気は、調理する食材に水分を補給し、加湿や保湿を行う効果がある。
【０００５】
一方、過熱水蒸気は、食材に熱を効率良く伝え、食材を乾燥させ、焼く能力を持ち、脱油・脱塩の効果がある。
【０００６】
また、どちらの水蒸気を使用しても、食材の周囲に充満させて調理することで、酸素の少ない雰囲気を作り出し、調理中の食材の酸化を防止するという効果もある。
【０００７】
特に、近年は健康志向が高まり、その手助けをする調理方法として、過熱水蒸気による調理方法が注目されている。
【０００８】
例えば、過熱水蒸気で鶏肉を調理した場合、余分な油を落しヘルシーで、表面の皮はパリッと、中はジューシーに仕上がり、調理時間も短縮できることから、大変重宝な調理方法として市場に浸透してきた。
【０００９】
しかし、一方で、上記の特許文献１に記載されたものは、過熱水蒸気を生成するに際して飽和水蒸気を加熱する専用の加熱源を持たないで、加熱室を加熱するヒータの熱源を利用しており、前記ヒータが発熱している時に、該ヒータの近傍に飽和水蒸気を噴出することで飽和水蒸気を加熱し、過熱水蒸気を生成していた。
【００１０】
そのため、過熱水蒸気の温度は、加熱室の温度を調節するヒータの加熱条件、すなわち、被加熱物の温度や大きさ，被加熱物を加熱する温度等によって決定され、過熱水蒸気の温度を自由に設定することができなかった。
【００１１】
そして、食材の加熱時に、更に脱油・脱塩効果を高めようと過熱水蒸気を長時間食材に噴出すると、過熱水蒸気により食材の表面が焼け過ぎたり、焼け過ぎを考慮し、加熱室の加熱温度を下げると、食材の中心まで火が通らなかったり、食材の加熱時間を増やすと、食材のうまみ成分を破壊する不具合が発生し、不用な油類や塩類をより多く脱油・脱塩する著しい効果は望めなかった。
【００１２】
本発明は、肉類・魚類を加熱しながら脱油・脱塩が効率良くできるように、加熱時に過熱水蒸気と飽和水蒸気を交互に供給ができるようにし、加熱時の過熱水蒸気と飽和水蒸気によって食材を加熱する平均温度と食材に与える平均湿度の調整ができ、肉類や魚類を加熱しながら今まで以上に多くの脱油・脱塩ができる加熱調理器を提供することを目的とする。
【課題を解決するための手段】
【００１３】
本発明は、上記の課題を解決するためになされたもので、請求項１では、被調理物を収納する加熱室と、該加熱室の後部に設けられ、該加熱室との間で空気を循環する熱風ファンと、循環する空気を加熱する熱風ヒータとを備えた熱風ユニットと、前記熱風ユニット内に飽和水蒸気を噴出する水蒸気発生手段と、前記加熱室の温度を検出する温度検出手段と、該温度検出手段からの温度情報に基づいて前記水蒸気発生手段と前記熱風ヒータとを制御する制御手段と、を有した加熱調理器において、前記制御手段は、前記被加熱物を加熱する複数の工程の中で前記水蒸気発生手段を動作して加熱する工程の加熱時間を全工程の合計時間の７５〜９０％の時間となるように制御し、前記水蒸気発生手段を動作して加熱する工程では、前記温度検出手段からの温度情報を基に前記熱風ヒータへの電力の供給をＯＮとＯＦＦとで制御し、前記熱風ヒータのＯＮの時間、前記水蒸気発生手段から噴出する飽和水蒸気を前記熱風ヒータで加熱して前記加熱室に過熱水蒸気を供給し、前記熱風ヒータのＯＦＦの時間、前記水蒸気発生手段から前記加熱室に飽和水蒸気を供給して被加熱物である肉類を加熱するものである。
【００１４】
請求項２では、被調理物を収納する加熱室と、該加熱室の後部に設けられ、該加熱室との間で空気を循環する熱風ファンと、循環する空気を加熱する熱風ヒータとを備えた熱風ユニットと、前記熱風ユニット内に飽和水蒸気を噴出する水蒸気発生手段と、前記加熱室の温度を検出する温度検出手段と、該温度検出手段からの温度情報に基づいて前記水蒸気発生手段と前記熱風ヒータとを制御する制御手段と、を有した加熱調理器において、前記制御手段は、前記被加熱物を加熱する複数の工程の中で前記水蒸気発生手段を動作して加熱する工程の加熱時間を全工程の合計時間の５２〜６４％の時間となるように制御し、前記水蒸気発生手段を動作して加熱する工程では、前記温度検出手段からの温度情報を基に前記熱風ヒータへの電力の供給をＯＮとＯＦＦとで制御し、前記熱風ヒータのＯＮの時間、前記水蒸気発生手段から噴出する飽和水蒸気を前記熱風ヒータで加熱して前記加熱室に過熱水蒸気を供給し、前記熱風ヒータのＯＦＦの時間，前記水蒸気発生手段から前記加熱室に飽和水蒸気を供給して被加熱物である魚類を加熱するものである。
【発明の効果】
【００１５】
本発明の加熱調理器を用いれば、加熱時に過熱水蒸気と飽和水蒸気を交互に供給して食材を加熱するので、加熱時の過熱水蒸気と飽和水蒸気によって食材を加熱する平均温度と食材に与える平均湿度とが調整可能となり、肉類や魚類を加熱しながら今まで以上に不要な油分や塩分を多く取り除くことが出来る。
【００１６】
また、加熱時間は過熱水蒸気のみで加熱するよりも短時間で済むことができる。
【発明を実施するための最良の形態】
【００１７】
以下、本発明の実施例を添付図面に従って説明する。
【００１８】
図１から図５は、本実施例の主要部分を示すもので、図１は加熱調理器本体を前面側から見た斜視図、図２は同本体を後方側から見た斜視図、図３は図１のＡ−Ａ断面図、図４は加熱調理器本体の外枠を取り外し、ドアを開けて本体内部が見える状態の斜視図、図５は同本体の外枠を取り外し、後方内部が見える状態の斜視図である。
【００１９】
図において、加熱調理器の本体１は、加熱室２８に加熱する食品を入れ、マイクロ波やヒータの熱，飽和水蒸気，過熱水蒸気を使用して食品を加熱する。
【００２０】
ドア２は、加熱室２８に食品を出し入れするために開閉するもので、ドア２を閉めることで加熱室２８を密閉状態にし、食品を加熱する時に使用するマイクロ波の漏洩を防止し、ヒータの熱や過熱水蒸気を封じ込め、効率良く加熱することを可能とする。
【００２１】
取っ手９は、ドア２に取り付けられ、ドア２の開閉を容易にするもので、手で握りやすい形状になっている。
【００２２】
ガラス窓３は、加熱中の食品の状態が確認できるようにドア２に取り付けられ、ヒータ等の発熱による高温に耐えるガラスを使用している。
【００２３】
入力手段７１は、ドア２の前面下側の操作パネル４に設けられ、マイクロ波加熱やヒータ加熱等の加熱手段や加熱する時間等を入力するための操作部６と、操作部６から入力された内容や加熱の進行状態を表示する表示部５とで構成されている。
【００２４】
水タンク４２は、飽和水蒸気を作るのに必要な水を溜めておく容器であり、加熱調理器の本体１の前面下側に設けられ、本体１の前面から着脱可能な構造とすることで給水および排水が容易にできるようになっている。
【００２５】
外枠７は、加熱調理器の本体１の上面と左右側面を覆うキャビネットである。
【００２６】
後板１０は、前記したキャビネットの後面を形成するものであり、上部に外部排気ダクト１８が取り付けられ、該外部排気ダクト１８の取り付けられる内側に、食品から排出した蒸気や本体１の内部の部品を冷却した後の冷却風（廃熱）３９を排出する排気孔３６が設けられている。
【００２７】
また、外部排気ダクト１８は、排気孔３６を通過した冷却風（廃熱）を本体１の外に排出するもので、排気は外部排気ダクト１８の外部排気口８から排出し、排気の排出方向は本体１の上部方向で且つ前面側に排気する。排気の排出方向を上部方向で且つ前面側に向けることで、背面を壁面に寄せた時でも排気によって壁面を汚すことがないようにしている。
【００２８】
機械室２０は、加熱室底面２８ａと本体１の底板２１との間の空間部に設けられ、底板２１上には食品を加熱するためのマグネトロン３３，マグネトロン３３に接続された導波管４７，制御基板２３、その他後述する各種部品、これらの各種部品を冷却するファン装置１５等が取り付けられている。
【００２９】
加熱室底面２８ａは、略中央部が凹状に窪んでおり、その中に回転アンテナ２６が設置され、マグネトロン３３より放射されるマイクロ波エネルギーは、導波管４７，回転アンテナ駆動手段４６の出力軸４６ａが貫通する開孔部４７ａを通して回転アンテナ２６の下面に流入し、該回転アンテナ２６で拡散されて加熱室２８に放射される。回転アンテナ２６は回転アンテナ駆動手段４６の出力軸４６ａに連結されている。
【００３０】
ファン装置１５は、底板２１より外気を吸引し吹出し口５３より冷却風３９を送風し、機械室２０の自己発熱するマグネトロン３３やインバータ基板２２，重量検出手段２５等を冷却し、加熱室２８の外側と外枠７の間および熱風ケース１１ａと後板１０の間を流れ、外枠７と後板１０を冷却しながら排気孔３６を通り、外部排気ダクト１８の外部排気口８より排出される。
【００３１】
加熱室２８の後部には、熱風ユニット１１が取り付けられ、該熱風ユニット１１内には加熱室２８の空気を効率良く循環させる熱風ファン３２が取り付けられ、加熱室奥壁面２８ｂには空気の通り道となる熱風吸気孔３１と熱風吹出し孔３０が設けられている。
【００３２】
熱風ファン３２は、熱風ケース１１ａの外側に取り付けられた熱風モータ１３の駆動により回転し、熱風ヒータ１４で循環する空気を加熱する。
【００３３】
また、熱風ユニット１１は、加熱室奥壁面２８ｂの後部側に熱風ケース１１ａを設け、加熱室奥壁面２８ｂと熱風ケース１１ａとの間に熱風ファン３２とその外周側に位置するように熱風ヒータ１４（熱風ヒータ１４の消費電力は７５０Ｗ）を設け、熱風ケース１１ａの後側に熱風モータ１３を取り付け、そのモータ軸を熱風ケース１１ａに設けた穴を通して熱風ファン３２と連結している。
【００３４】
熱風モータ１３は、加熱室２８や熱風ヒータ１４からの熱によって温度上昇するため、それを防ぐために、熱風モータカバー１７によって囲われている。
【００３５】
冷却ダクト１６は、略筒状に形成されていて熱風ケース１１ａと後板１０との間に位置し、上端開口部を熱風モータカバー１７の下面に接続し、下端開口部をファン装置１５の吹出し口５３に接続し、ファン装置１５からの冷却風３９の一部を熱風モータカバー１７内に取り入れるようにしている。
【００３６】
加熱室２８の天面の裏側には、ヒータよりなるグリル加熱手段１２（グリル加熱手段１２の消費電力は１３００Ｗ）が取り付けられている。グリル加熱手段１２は、マイカ板にヒータ線を巻き付けて平面状に形成し、加熱室２８の天面裏側に押し付けて固定し、加熱室２８の天面を加熱して加熱室２８内の食品を輻射熱によって焼くものである。
【００３７】
また加熱室２８の後部上方には、加熱室２８の温度を検出する温度検出手段８５が設けられている。該温度検出手段８５は、グリル加熱手段１２及び熱風ユニット１１の熱風吹出し孔３０から加熱室２８内に吹出される熱風の影響を直接受けない位置に設けられている。
【００３８】
一方、加熱室底面２８ａには、複数個の重量検出手段２５、例えば前側左右に右側重量センサ２５ａ，左側重量センサ２５ｂ，後側中央に奥側重量センサ２５ｃが設けられ、その上にテーブルプレート２４が載置されている。
【００３９】
テーブルプレート２４は、食品を載置するためのもので、ヒータ加熱とマイクロ波加熱の両方に使用できるように耐熱性を有し、かつ、マイクロ波の透過性が良く、衛生面でも問題がない磁器等の材料で成形されている。
【００４０】
また、テーブルプレート２４の他に、網５２（図９）やホーロ製の角皿５０（図１１）がある。
【００４１】
このテーブルプレート２４と角皿５０は、調理の種類によって、加熱室２８の左右側面に設けた上中下の多段（図では３段）の棚２７に載せて使用される。
【００４２】
水蒸気発生手段４３は、熱風ユニット１１の熱風ケース１１ａの外側面に取り付けられ、飽和水蒸気を噴出する噴出口４４は熱風ユニット１１内に臨ませている。
【００４３】
また、水蒸気発生手段４３は、アルミの鋳造で作られ、鋳造時にボイラー加熱手段８９であるシーズヒータを一体となるように埋め込んでいる。そのヒータの消費電力は６００Ｗ前後と大きく、水蒸気発生手段４３を短時間に水を沸騰できる温度に加熱することができる。
【００４４】
水蒸気発生手段４３への水の供給は、ポンプ手段８７を駆動することによって水タンク４２からパイプ４５を通して供給される。供給された水は、水蒸気発生手段４３で加熱されて沸騰し、飽和水蒸気となって噴出口４４から噴出する。
【００４５】
温度検出手段Ｂ８８は、水蒸気発生手段４３の温度を検出するもので、その検出結果を後述する制御手段７２に伝え、ボイラー加熱手段８９やポンプ手段８７を制御する。
【００４６】
ポンプ手段８７は、水タンク４２の水を水蒸気発生手段４３まで汲み上げるもので、ポンプとポンプを駆動するモータで構成される。水蒸気発生手段４３への給水量の調節はモータに供給する電力のＯＮ／ＯＦＦの比率で決定する。
【００４７】
次に、図６から図７を用いて内部の詳細な構造を説明する。
【００４８】
図６は熱風ユニット１１の概略構造を示す斜視図、図７は重量検出手段の概略構造を示す断面図である。
【００４９】
図６により熱風ユニット１１の詳細について説明する。
【００５０】
熱風ユニット１１は、略中央部に熱風ファン３２を設けており、図３に示すように、加熱室奥壁面２８ｂに設けた熱風吸気孔３１と熱風吹出し孔３０を通して加熱室２８の空気を循環させる。熱風ファン３２は、熱風ケース１１ａの外側に取り付けた熱風モータ１３の駆動により回転する。
【００５１】
熱風ユニット１１の内部には、熱風ファン３２の下側に位置するように横長の熱風ヒータ１４が設けられ、上部および左右には熱風ファン３２で吸引した空気を熱風吸気孔３１の下側と上側に設けた熱風吹出し孔３０より均等に送風するための導風板１１ｂが取り付けられている。
【００５２】
このように、熱風ユニット１１は、熱風ファン３２によって加熱室２８内の空気を吸引し、吸引した空気を熱風ヒータ１４で加熱した後に加熱室２８への送風を繰り返すことによって加熱室２８を加熱する。
【００５３】
よって、熱風ユニット１１内の熱風ヒータ１４がＯＮして発熱している時に水蒸気発生手段４３で発生した飽和水蒸気を噴出口４４より熱風ユニット１１内に噴出させると、その飽和水蒸気は、熱風ファン３２によって攪拌され、熱風ヒータ１４の熱（表面温度が５００℃以上）によって１００℃以上の高温に加熱されて過熱水蒸気となり、熱風と混合して加熱室２８に送風され被加熱物を加熱する。
【００５４】
次に、図７により重量検出手段について説明する。
【００５５】
重量検出手段２５は、加熱室底面２８ａの機械室２０側に取り付けられ、プランジャー６７のみが加熱室底面２８ａから加熱室２８へ臨んでおり、その上にテーブルプレート２４を載置している。
【００５６】
重量検出手段２５は、本実施例では静電容量式の検出手段を用いている。その詳細は、薄板の金属材で作られた可動電極６８と固定電極６９から構成され、固定電極６９と可動電極６８は略平行に対向して所定の隙間、すなわち検出空間７０を保持し、その検出空間７０にコンデンサを形成する。そして、テーブルプレート２４に載置された食品の重さに応じてプランジャー６７が押されると、その下面の可動電極６８が移動し、静置している固定電極６９との検出空間７０で決まる静電容量を後述する制御手段７２に送り、制御手段７２は、事前にテーブルプレート２４だけを載せた時の静電容量を記憶しておくことで、その静電容量の差を求め食品の重量を求める。
【００５７】
食品の重量は、各重量検出手段２５の検出した食品重量の合計で求められ、また、各重量検出手段２５の検出値の比率からテーブルプレート２４のどの位置に食品の重心位置があるのかを求められる。
【００５８】
図８は加熱調理器のシステム全体の動作を説明するブロック図である。
【００５９】
図において、電源７６は、商用電源で電流検出手段Ａ７５を介して制御手段７２に接続されている。
【００６０】
また、電流検出手段Ａ７５は、加熱調理器の本体１で使用している電流を検知するもので、電源７６の電圧が変動した時など、電流の変化を検出して加熱する出力を一定に調整するために用いられる。
【００６１】
レンジ加熱手段７７は、マグネトロン３３とマグネトロン３３を駆動するための電源を作るインバータ回路を搭載したインバータ基板２２である。インバータ回路は、制御手段７２を介して入力手段７１より入力される加熱パワーに応じた電源を作り、マグネトロン３３に印加する。作られる電源は、前述したようにマグネトロン３３のマイクロ波出力が電源７６の変動に左右されないように、電流検出手段７５からの検出信号で電源７６を監視し、電源７６の変動分を出力で補正するように動作する。
【００６２】
オーブン加熱手段７８は、熱風ユニット１１内の熱風ヒータ１４と熱風ファン３２を駆動する熱風モータ１３である。制御手段７２は、加熱室２８内の温度が入力手段７１から入力された温度になるように加熱室２８の温度を温度検出手段８５により検出し、熱風ヒータ１４への電力の供給を調整する。
【００６３】
グリル加熱手段１２は、加熱室２８の天面を加熱して加熱室２８内の食品を輻射熱によって焼き上げるものである。
【００６４】
照明手段８１は、加熱室２８の外側に設けられ、加熱室２８の壁面に設けた小穴から加熱室２８を照らし、加熱中の食品の状態を見やすくするものである。
【００６５】
冷却手段５０は、ファン装置１５の冷却用のファンを駆動するモータである。
【００６６】
回転アンテナ駆動手段４６は、回転アンテナ２６を駆動するためのモータで、同期モータと回転数を減速するためのギャーが一体になっているものである。
【００６７】
温度検出手段８５は、加熱室２８の温度を検出し、制御手段７２によってオーブン加熱手段７８やグリル加熱手段１２のヒータへ供給する電力を調整するものである。
【００６８】
温度検出手段Ｂ８８は、水蒸気発生手段４３の温度を検出するものである。
【００６９】
ボイラー加熱手段８９は、水蒸気発生手段４３を加熱するものである。
【００７０】
７１は入力手段で、ここでは操作部６と表示部５を示す。
【００７１】
７２は制御手段で、入力手段７１から入力された内容に従い、食品を加熱調理するように動作させるもので、各検知手段から食品の状態や加熱室２８の状態を検知し、その後、各加熱手段や駆動手段を必要に応じて動作させるものである。
【００７２】
本実施例は、以上の構成からなり、次に加熱の動作について説明する。
【００７３】
第１の実施例として、脱油を行う例について、肉類のメニューから焼き豚を作る時の動作について説明する。
【００７４】
食材は豚肩ロース肉（かたまり）を約５００グラム用意し、木綿製のたこ糸でしばって形を整え、付け汁（しょうが，長ねぎ，醤油，酒，砂糖，赤味噌）に半日以上付ける。付け汁に付けた肉を加熱する時は、付け汁の汁気をきって図９に示すように、網５２の中央に被加熱物（肉）５１を載せ、その網５２をテーブルプレート２４に置いて加熱する。
【００７５】
次に、被加熱物５１を加熱する工程について図１０を用いて説明する。
【００７６】
図１０は、加熱時の各工程の設定温度と、熱風ヒータ１４，水蒸気発生手段４３の動作と、加熱室２８に供給する時の水蒸気の温度を表した説明図である。
【００７７】
加熱工程は、被加熱物５１を加熱しながら水蒸気発生手段４３を動作し、被加熱物５１に含有する油分を排出するための第１の工程と、被加熱物５１を焼き上げる第２の工程に分かれる。
【００７８】
この全工程は、手動では一度に設定できないので、全工程を一度に設定でき、連続して全工程を実施するための専用キー（図示せず）を設けると良い。
【００７９】
設定が完了したら、操作部６の調理開始用のスタートキーを押すことで、加熱室２８の加熱が開始する。
【００８０】
加熱が開始し、第１の工程では、制御手段７２からオーブン加熱手段７８である熱風モータ１３と熱風ヒータ１４に信号が送られる。
【００８１】
熱風モータ１３は、熱風ファン３２を回転させ、熱風ユニット１１の熱風吸気孔３１から加熱室２８の空気を吸引し、吸引した空気を熱風ユニット１１内で攪拌し、吸引した空気を熱風ヒータ１４で加熱して、熱風を熱風吹出し孔３０より加熱室２８に送風する。
【００８２】
熱風ヒータ１４は、温度検出手段８５の検出値に応じて電力の供給を受け、加熱室２８の温度が設定温度である１３０℃に保たれるように制御され、加熱室２８に送風された熱風によって加熱室２８と被加熱物５１を加熱する。
【００８３】
制御手段７２は、加熱室２８の温度を温度検出手段８５より逐次検出し、加熱時間Ｔ１の間、加熱室２８の平均温度が設定温度である１３０℃になるように、熱風ヒータ１４への電力の供給を制御する。その制御は、加熱室２８の平均温度が設定温度になるように、熱風ヒータ１４へ電力の供給と熱風ヒータ１４への電力の供給を断つＯＮ、ＯＦＦ制御で行う。
【００８４】
そして、その熱風ヒータ１４の制御を行う温度検出手段８５の検出値は、熱風ヒータ１４への電力の供給を開始するための検出値と熱風ヒータ１４への電力の供給を断つための検出値を設定温度毎に事前に決めて制御手段７２に入力してある。
【００８５】
加熱開始時、最初の熱風ヒータ１４のＯＮの時間は、加熱室２８の温度が低いため、過熱水蒸気と飽和水蒸気を加熱室２８に送っても、加熱室２８を構成している壁面やドア２で結露して、エネルギーを効率良く被加熱物５１に伝えられないため、水蒸気発生手段４３を動作させていない。
【００８６】
その後、加熱室２８が温まり、熱風ヒータ１４への電力の供給を断つ温度に達すると、温度検出手段８５はその温度を検知して制御手段７２に信号を送り、熱風ヒータ１４をＯＦＦする。
【００８７】
次に、加熱室２８の温度が下がり熱風ヒータ１４への電力の供給を開始する温度に達し、温度検出手段８５はその下がった温度を検出すると、制御手段７２は、再び熱風ヒータ１４をＯＮして加熱室２８と被加熱物５１を加熱する。
【００８８】
また、制御手段７２は、同時に水蒸気発生手段４３もＯＮして、ボイラー加熱手段８９によって水蒸気発生手段４３を加熱し、温度検出手段Ｂ８８によって水蒸気発生手段４３が水を沸騰できる温度に上昇したのを検出すると、ポンプ手段８７を動作させて水を水蒸気発生手段４３に送り、水が沸騰して噴出口４４より熱風ユニット１１内に飽和水蒸気を噴出する。
【００８９】
この時、事前に水蒸気発生手段４３内のボイラー加熱手段８９をＯＮして水蒸気発生手段４３を予熱しておくことで、飽和水蒸気を噴出するまでの時間のロスを回避できる。
【００９０】
熱風ユニット１１内に噴出した飽和水蒸気は、熱風ファン３２によって攪拌され、熱風ヒータ１４の発熱（表面温度が５００℃以上）によって１００℃以上の高温に加熱された過熱水蒸気となり、熱風と混合してＡの時間、加熱室２８に送風され、被加熱物５１を加熱する。
【００９１】
熱風と過熱水蒸気によってＡの時間、加熱室２８と被加熱物５１が加熱されると、加熱室２８内の温度が上昇し、熱風ヒータ１４の電力の供給を断つ温度に達し、それを温度検出手段８５が検出して制御手段７２により熱風ヒータ１４をＯＦＦする。
【００９２】
加熱室２８の温度は、熱風ヒータ１４がＯＦＦした後も予熱で数度上昇するが、その後に温度が下がり始める。そして、熱風ヒータ１４がＯＦＦしているＢの時間も水蒸気発生手段４３はＯＮし続け、水蒸気発生手段４３から噴出した飽和水蒸気は熱風ヒータ１４に加熱されること無く、飽和水蒸気のまま加熱室２８内に噴出し続ける。
【００９３】
前記加熱を加熱時間Ｔ１（３３分）が経過後、次に加熱室２８の温度を１７０℃に変更し、同様に被加熱物５１を加熱時間Ｔ２（３０分）の間加熱を続ける。
【００９４】
次に第２の工程では、制御手段７２は加熱室２８の温度が設定温度である１９０℃に保たれるように制御し、加熱時間Ｔ３（１２分）の間、加熱室２８に送風する熱風によって被加熱物５１を焼き上げる。
【００９５】
制御手段７２は、入力された全工程の加熱時間（Ｔ１＋Ｔ２＋Ｔ３）が経過すると、ブザーなど（図示せず）を鳴らし使用者に加熱の終了を知らせる。
【００９６】
次に加熱中の被加熱物５１の状態を説明する。
【００９７】
加熱開始時、被加熱物５１は、熱風によって加熱され、水蒸気が加熱室２８を構成している壁面やドア２で結露しない状態（温度）になったら、熱風と過熱水蒸気によってＡの時間、被加熱物５１が加熱されるが、被加熱物５１はまだ温度が低いため、加熱室２８に送風された過熱水蒸気は、被加熱物５１の表面全体で凝縮水滴になることによって発生する凝縮潜熱によって、被加熱物５１を熱風より効率良く加熱する。
【００９８】
凝縮潜熱によって加熱された被加熱物５１は、次第に温度が上昇し、被加熱物５１の表面を加熱する。しかし、その後、Ｂの時間とＡの時間で熱風ヒータ１４がＯＦＦとＯＮを繰り返し、飽和水蒸気と過熱水蒸気が交互に加熱室２８に供給され、被加熱物５１の周囲を一定の湿度で保持すると、被加熱物５１の表面で発生する凝縮潜熱による加熱が和らぎ、表面だけが著しく加熱されることなく被加熱物５１の内部も加熱されるようになる。
【００９９】
そのため、被加熱物５１の表面と内部の温度差が緩和され、被加熱物５１の全体の温度を上昇させる。
【０１００】
被加熱物５１の温度が上昇し、被加熱物５１に含まれる油が溶ける温度に上昇すると油が溶解し、さらに被加熱物５１の温度が上昇すると、肉の熱変成温度、つまり、たんぱく質が加熱によって凝固が始まる温度に達すると、たんぱく質の凝固によって被加熱物５１全体が縮み、被加熱物５１の内部で溶けた油が表面に流出する。表面に流出した油は被加熱物５１の表面に付着している水滴と一緒にテーブルプレート２４に滴下して被加熱物５１から油は排除される。
【０１０１】
一般に言われている肉の油類が溶け出す温度は、鶏肉は３０〜３２℃、豚肉は３３〜４６℃、牛肉が４０〜５０℃であり、肉の熱変成の温度は６０〜７０℃から始まる。
【０１０２】
特に、焼き豚やローストビーフのように大きな肉の塊を加熱する場合、加熱時間が長く必要とするため、第１の工程の加熱時間Ｔ１で被加熱物５１の内部の油を溶かし、加熱時間Ｔ２で被加熱物を熱変成させ、第２の工程で被加熱物に与えた大量の水分を蒸発させ焼き上げるものである。
【０１０３】
例えば、被加熱物が鶏の胸肉やもも肉等のように食材が薄い場合や小さい場合は、被加熱物の内部への熱伝達が良いため、第１の工程の設定温度を２段に別ける必要は無くなる。また、食材が大きい場合や、表面に焦げやすいタレ等が付着した食材を加熱する場合は更に設定温度を複数段階に別けてもよい。
【０１０４】
また、テーブルプレート２４に載せられた被加熱物５１の重さ（網５２の重さは事前に風袋引きする）を測定することで、加熱時間を決定したり、前述した設定温度を複数段階に別ける決定も可能である。
【０１０５】
前記水蒸気発生手段４３を動作する第１の工程の加熱時間（Ｔ１＋Ｔ２）は、全工程の加熱時間（Ｔ１＋Ｔ２＋Ｔ３）の７５〜９０％とするもので、この工程で水蒸気発生手段４３で発生する飽和水蒸気の量は、供給する水の量換算で２６０〜３００cc（従来の過熱水蒸気のみの場合、供給する水の量換算で９０cc）にも達する。そして、被加熱物５１からの油の除去量は、従来、過熱水蒸気のみを加熱に使用していた時に比べ発明者の確認した範囲では１０〜１７％（被加熱物から流れ出した油の量換算）上昇する。
【０１０６】
前記水蒸気発生手段４３を動作させる第１の工程の加熱時間（Ｔ１＋Ｔ２）を、全工程の加熱時間（Ｔ１＋Ｔ２＋Ｔ３）の７５〜９０％とする理由は、肉の油類が溶け出す温度が前記したように、鶏肉が３０〜３２℃、豚肉が３３〜４６℃、牛肉が４０〜５０℃であり、また、肉の熱変成の温度が６０〜７０℃から始まることや、焼き豚やローストビーフのように大きな肉の塊や、鶏の胸肉やもも肉等のように食材が薄い場合や小さい場合等を考慮して実験の結果、求められたものである。
【０１０７】
前記したように、第１の工程の加熱時間（Ｔ１＋Ｔ２）を、全工程の加熱時間（Ｔ１＋Ｔ２＋Ｔ３）の７５〜９０％とすることによって、加熱後の食材は、余分な油類をより多く脱油し、食材に含まれるうまみ成分を多く残す（増加させる）ことができる。
【０１０８】
なお、前記した加熱時間が７５％未満の場合は、脱油量も少なく、さらに食味で大切なうまみ成分であるアミノ酸の生成（たんぱく質が分解される時に生成される）される量が少なく、９０％以上では、脱油が進み、脱油量が多過ぎて、被加熱物である肉の肉質がパサツキ、食味した時の肉本来の食感が失われ、更に、肉本来に含まれているうまみ成分であるイノシン酸が分解されて少なくなる。
【０１０９】
次に、第２の実施例として、脱塩を行う例について、魚類のメニューから塩鮭の加熱を例に説明する。
【０１１０】
食材は塩鮭の切り身を用意し、図１１に示すように、被加熱物（塩鮭）５４を中央に載せた網５２を角皿５０に載せ、その角皿５０を下段の棚２７に置き加熱する。
【０１１１】
次に、被加熱物５４を加熱する工程について図１２を用いて説明する。
【０１１２】
但し、前述した実施例の動作と同じ動作については説明を省略する。
【０１１３】
図１２は、加熱時の各工程の設定温度と、グリル加熱手段１２，熱風ヒータ１４，水蒸気発生手段４３の動作と、加熱室２８に供給する時の水蒸気の温度を表した説明図である。
【０１１４】
加熱する工程は、加熱室２８を予熱する予熱工程と、被加熱物５４を加熱しながら水蒸気発生手段４３を動作して被加熱物５４に含有する塩分を排出するための第１の工程と、被加熱物５４を焼き上げる第２の工程に分かれる。
【０１１５】
この全工程は、手動では一度に設定できない。そこで全工程を一度に設定し、連続して全工程を実施するための専用キー（図示せず）を設けると良い。
【０１１６】
最初の工程は、加熱室２８を予熱する予熱工程なので被加熱物５４を入れないで、操作部６の専用キーで設定し、調理開始用のスタートキーを押して加熱を開始する。
【０１１７】
予熱工程が開始すると、制御手段７２からオーブン加熱手段７８である熱風モータ１３と熱風ヒータ１４に信号が送られる。
【０１１８】
熱風モータ１３は、熱風ファン３２を回転させ、熱風ユニット１１の熱風吸気孔３１から加熱室２８の空気を吸引し、吸引した空気を熱風ユニット１１内で攪拌し、吸引した空気を熱風ヒータ１４で加熱して熱風を熱風吹出し孔３０より加熱室２８に送風する。
【０１１９】
制御手段７２は、加熱室２８の温度を温度検出手段８５により逐次検出し、加熱室２８の平均温度が次工程である第１の工程の設定温度である２１０℃まで上がるように、熱風ヒータ１４をＯＮして電力を供給する制御を行う。
【０１２０】
そして、加熱室２８が温まり、熱風ヒータ１４への電力の供給を断つ温度（２１０℃）に達すると、温度検出手段８５はその温度を検知して制御手段７２に信号を送り、熱風ヒータ１４をＯＦＦする。
【０１２１】
熱風ヒータ１４の制御を行う温度検出手段８５の検出値は、熱風ヒータ１４への電力の供給を開始するための検出値と熱風ヒータ１４への電力の供給を断つための検出値を事前に決めて制御手段７２に入力してある。
【０１２２】
制御手段７２は、加熱室２８の加熱開始後、加熱室２８の温度が次工程の第１の工程で設定されている２１０℃に達したのを検知すると、加熱室２８の温度が次工程の設定温度に達した事を知らせるためブザーなどで報知音を鳴らす。
【０１２３】
使用者は、報知音の確認後、図１１のようにドア２を開けて、被加熱物（塩鮭）５４を載せた網５２を角皿５０に載せ、その角皿５０を加熱室２８に設けている下段の棚２７に置きスタートキーを押す。
【０１２４】
もし、使用者が予熱終了の報知音に気づかなかった場合、一定時間、次工程の設定温度を維持した後に自動的に加熱を終了する。
【０１２５】
次に第１の工程について説明する。
【０１２６】
制御手段７２は、加熱室２８の平均温度が設定温度の２１０℃になるように、グリル加熱手段１２と熱風ヒータ１４に供給する電力を制御する。
【０１２７】
加熱室２８と被加熱物５４を加熱するグリル加熱手段１２と熱風ヒータ１４に供給する電力の制御は、加熱室２８の温度が低下し加熱室２８の加熱を開始する温度を温度検出手段８５の検出値で検出してから、加熱室２８の温度が上昇し加熱室２８の加熱を止める温度を温度検出手段８５の検出値で検出するまでの間、グリル加熱手段１２と熱風ヒータ１４は、それぞれに定めた時間（グリル加熱手段１２を１０秒ＯＮ、熱風ヒータ１４を２２秒ＯＮ）、交互に電力を供給し、加熱室２８を加熱（本体１の定格消費電力内なら同時に電力を供給してもよい）するようになっている。
【０１２８】
図１２に示すグリル加熱手段１２と熱風ヒータ１４への電力の供給は、温度検出手段８５の検出値が加熱室２８の加熱を開始する温度を温度検出手段８５の検出値で検出してから、加熱室２８の温度が上昇し加熱室２８の加熱を止める温度を温度検出手段８５の検出値で検出する期間（Ａ時間＋Ｃ時間）、各一回交互にＯＮしたことを示した例を表したものである。
【０１２９】
制御手段７２は、熱風ヒータ１４に電力を供給している時は水蒸気発生手段４３もＯＮして、熱風ユニット１１内に飽和水蒸気を噴出し、Ａの時間、１００℃以上の高温に加熱された過熱水蒸気と熱風の混合を加熱室２８に送風し被加熱物５４を加熱する。
【０１３０】
熱風と過熱水蒸気によるＡの時間と輻射熱によるＣの時間、加熱室２８と被加熱物５４が加熱されると、加熱室２８内の温度が上昇し、加熱室２８の加熱を止める温度に達すると、それを温度検出手段８５が検出して制御手段７２により加熱を止める。
【０１３１】
加熱室２８の温度は、加熱を停止した後も予熱で数度上昇するが、その後に温度が下がり始める。そして、加熱が停止（グリル加熱手段１２と熱風ヒータ１４の両方がＯＦＦ）しているＢの時間、水蒸気発生手段４３はＯＮし、水蒸気発生手段４３から噴出した飽和水蒸気は熱風ヒータ１４に加熱されること無く、飽和水蒸気のまま加熱室２８内に噴出する。
【０１３２】
次に第２の工程では、制御手段７２は加熱室２８の温度が設定温度である２１０℃に保たれるようにグリル加熱手段１２への電力の供給を制御し被加熱物５４を焼き上げる。
【０１３３】
制御手段７２は、第１の工程と第２の工程の加熱時間（Ｔ１＋Ｔ２）が経過すると、ブザー等を鳴らし使用者に加熱の終了を知らせる。
【０１３４】
次に加熱中の被加熱物５４の状態を説明する。
【０１３５】
加熱開始時、予熱工程により、水蒸気が加熱室２８を構成している壁面やドア２で結露しない状態（温度）に加熱される。
【０１３６】
第１の工程では、予熱終了後、被加熱物５４を加熱室２８に入れ、スタートキーが入力されると、熱風と過熱水蒸気によるＡの時間と輻射熱によるＣの時間、被加熱物５４が加熱される。
【０１３７】
加熱開始時は、被加熱物５４はまだ温度が低いため、加熱室２８に送風された過熱水蒸気は、被加熱物５４の表面全体で凝縮水滴になることによって発生する凝縮潜熱によって、被加熱物５４を熱風や輻射熱より効率良く加熱する。
【０１３８】
凝縮潜熱によって加熱された被加熱物５４は、次第に温度が上昇し、被加熱物５４の表面を加熱する。しかし、その後、ＡとＢの時間で、飽和水蒸気と過熱水蒸気が交互に加熱室２８に供給され、被加熱物５４の周囲を一定の湿度で保持すると、被加熱物５４の表面で発生する凝縮潜熱による加熱が和らぎ、表面だけが著しく加熱されることがなくなる。
【０１３９】
また、加熱室２８に供給される過熱水蒸気と飽和水蒸気により、被加熱物５４の表面に水滴が発生し、被加熱物５４に付着した水滴と、被加熱物５４との間で、塩分の濃度差によって、塩分濃度の高い被加熱物５４から塩分濃度の低い水滴へ塩分の移動が発生する。水滴は、過熱水蒸気と飽和水蒸気によって常に供給され、その間、被加熱物５４と水滴との間で塩分の移動が行われる。そして、被加熱物５４の表面についた水滴が角皿５０に滴下することで、次第に被加熱物５４が含んでいる塩分濃度は低くなる。
【０１４０】
第２の工程では、被加熱物に与えた大量の水分を蒸発させ、焼き上げるものである。
【０１４１】
被加熱物が前述した以外の食材、例えば、塩さば等を加熱する時に含まれる塩分を低減することができる。
【０１４２】
前記第１の工程の加熱時間Ｔ１は、予熱工程を除く第１の工程（１４分）と第２の工程Ｔ２（１０分）の加熱時間を合計（Ｔ１＋Ｔ２）（２４分）した５２〜６４％とする。この第１の工程で水蒸気発生手段４３で発生する飽和水蒸気の量は、供給する水の量換算で１００cc（従来の過熱水蒸気のみの場合、供給する水の量換算で１０cc）にも達する。そして、被加熱物５４からの塩分の除去量は、今まで、過熱水蒸気のみを加熱に使用していた時に比べ発明者の確認した範囲では７〜２５％（被加熱物から流れ出した塩の量換算）上昇する。
【０１４３】
前記第１の工程の加熱時間Ｔ１を、予熱工程を除く第１の工程（１４分）と第２の工程Ｔ２（１０分）の加熱時間を合計（Ｔ１＋Ｔ２）（２４分）した時間の５２〜６４％とする理由は、食材に要求される余分な塩分をより多く脱塩し、食材に含まれるうまみ成分を多く残すのに適した値である。
【０１４４】
なお、前記した加熱時間が５２％未満の場合は、脱塩量も少なく、６４％以上では、脱塩は進むが、魚本来に含まれているうまみ成分であるイノシン酸が分解されて少なくなる。
【０１４５】
以上説明したように、本実施例によれば、加熱時に過熱水蒸気と飽和水蒸気を交互に供給して食材を加熱するので、加熱時の過熱水蒸気と飽和水蒸気によって食材を加熱する平均温度と食材に与える平均湿度とが調整可能となり、肉類や魚類を加熱しながら今までより不要な油分や塩分を多く取り除くことが出来る。
【０１４６】
また、加熱の工程のＢの時間に飽和水蒸気によって被加熱物が加熱されるので、加熱時間は過熱水蒸気のみで加熱するよりも短時間で済むことができる。
【図面の簡単な説明】
【０１４７】
【図１】本発明の加熱調理器の本体を前面側から見た斜視図である。
【図２】同加熱調理器の本体を後方側から見た斜視図である。
【図３】図１のＡ−Ａ断面図である。
【図４】本発明の加熱調理器のドアを開け、本体内部が見える状態の斜視図である。
【図５】同加熱調理器の本体の後方内部が見える状態の斜視図である。
【図６】同加熱調理器の熱風ユニットの概略構造を示す斜視図である。
【図７】同加熱調理器の重量検出手段の概略構造を示す断面図である。
【図８】同加熱調理器の制御回路を説明するためのブロック図である。
【図９】同加熱調理器の加熱室に網を設置した斜視図である。
【図１０】同加熱調理器の加熱の工程を説明する説明図である。
【図１１】同加熱調理器の加熱室に角皿と網を設置した斜視図である。
【図１２】同加熱調理器の第２の実施例の加熱の工程を説明する説明図である。
【符号の説明】
【０１４８】
１１  熱風ユニット
１４  熱風ヒータ
２５  重量検出手段
３２  熱風ファン
４３  水蒸気発生手段
７２  制御手段
８５  温度検出手段
【図１】
2009250493.tif 000003
【図２】
2009250493.tif 000004
【図３】
2009250493.tif 000005
【図４】
2009250493.tif 000006
【図５】
2009250493.tif 000007
【図６】
2009250493.tif 000008
【図７】
2009250493.tif 000009
【図８】
2009250493.tif 000010
【図９】
2009250493.tif 000011
【図１０】
2009250493.tif 000012
【図１１】
2009250493.tif 000013
【図１２】
2009250493.tif 000014